(57)【特許請求の範囲】
【請求項１】
メモ情報を入力するためのメモ情報入力手段と、
前記メモ情報を送受信するためのメモ情報通信手段と、
前記メモ情報通信手段において受信した受信メモ情報を表示するメモ情報表示手段と、
前記メモ情報表示手段にて表示された前記受信メモ情報の任意の範囲を指定し縮小を指示する縮小指示手段と、
前記縮小指示手段からの指示に基づいて、指定された範囲の前記受信メモ情報を縮小して前記メモ情報表示手段に表示させるメモ情報表示制御手段と、
前記メモ情報表示手段における前記縮小された受信メモ情報の表示領域を示す情報と、この表示領域の大きさを示す情報と、前記受信メモ情報の縮小率を示す情報とを生成する第１の生成手段と、
前記メモ情報表示手段における前記メモ情報入力手段から新たに入力される追加メモ情報の表示領域を示す情報を生成する第２の生成手段と、
前記縮小された受信メモ情報と、前記追加メモ情報とから構成される返信メモ情報と、前記第１の生成手段が生成した情報と、前記第２の生成手段が生成した情報とを、前記メモ情報通信手段にて送信させるメモ情報通信制御手段とからなること
を特徴とするメモ情報通信制御装置。
【請求項２】
メモ情報を入力するためのメモ情報入力手段と、
前記メモ情報を送受信するためのメモ情報通信手段と、
前記メモ情報通信手段において受信した受信メモ情報を表示するメモ情報表示手段と、
前記メモ情報表示手段にて表示された前記受信メモ情報全体の縮小を指示する縮小指示手段と、
前記縮小指示手段からの縮小の指示に基づいて、前記受信メモ情報を縮小して前記メモ情報表示手段に表示させるメモ情報表示制御手段と、
前記メモ情報表示手段における前記縮小された受信メモ情報の表示領域を示す情報と、この表示領域の大きさを示す情報と、前記受信メモ情報の縮小率を示す情報とを生成する第１の生成手段と、
前記メモ情報表示手段における前記メモ情報入力手段から新たに入力される追加メモ情報の表示領域を示す情報を生成する第２の生成手段と、
前記縮小された受信メモ情報と、前記追加メモ情報とから構成される返信メモ情報と、前記第１の生成手段が生成した情報と、前記第２の生成手段が生成した情報とを、前記メモ情報通信手段にて送信させるメモ情報通信制御手段とからなること
を特徴とするメモ情報通信制御装置。
【請求項３】
前記受信メモ情報の全体の縮小を行う際の倍率を予め設定する倍率設定手段をさらに具備し、
前記メモ情報表示制御手段は、前記倍率設定手段にて設定された前記倍率に基づいて前記受信メモ情報を縮小して前記メモ情報表示手段に表示させることを特徴とする請求項２記載のメモ情報通信制御装置。
【請求項４】
縮小された受信メモ情報と追加メモ情報と、前記受信メモ情報を表示する際の表示領域を示す情報と、前記表示領域の大きさを示す情報と、前記受信メモ情報の縮小率を示す情報とを有する返信メモ情報を受信するためのメモ情報通信手段と、
前記メモ情報通信手段により受信された前記受信メモ情報および追加メモ情報を表示するためのメモ情報表示手段と、
前記メモ情報表示手段にて表示された縮小された前記受信メモ情報を元の大きさに戻すよう指示するサイズ復元指示手段と、
前記サイズ復元指示手段からの指示に応じて、前記受信メモ情報の表示領域を示す情報と、前記表示領域の大きさを示す情報とに基づいて、元の大きさに戻す前記受信メモを第１の特定する手段と、
前記縮小率を示す情報に基づき、前記特定された受信メモ情報を元の大きさに戻して前記メモ情報表示手段に表示させるメモ情報表示制御手段と
を具備することを特徴とするメモ情報通信制御装置。
【請求項５】
前記返信メモ情報が前記メモ情報表示手段における前記追加メモ情報の表示領域を示す情報とをさらに有し、
前記追加メモ情報を特定する第２の特定する手段をさらに具備し、
前記第２の特定する手段が、前記サイズ復元指示手段からの指示に応じて、追加メモ情報の前記表示領域を示す情報に基づいて、前記追加メモ情報を特定し、
前記メモ情報表示制御手段は、前記返信メモ情報の中の縮小された受信メモ情報を元の大きさに戻すと共に前記特定された前記追加メモ情報を縮小して前記メモ情報表示手段にて表示させることを特徴とする請求項４記載のメモ情報通信制御装置。
【請求項６】
メモ情報を入力するためのメモ情報入力手段と、前記メモ情報を送受信するためのメモ情報通信手段と、前記メモ情報通信手段において受信した受信メモ情報を表示するメモ情報表示手段とを有するメモ情報通信制御装置におけるメモ情報通信制御方法において、
前記メモ情報表示手段にて表示されている前記受信メモ情報に対する縮小の指示に基づいて、前記受信メモ情報を縮小して前記メモ情報表示手段にて表示させ、
前記縮小された受信メモ情報の前記メモ情報表示手段における表示領域を示す情報と、この表示領域の大きさを示す情報と、前記受信メモ情報の縮小率を示す情報とを生成させ、
前記メモ情報入力手段によって新たに入力される追加メモ情報の前記メモ情報表示手段における表示領域を示す情報を生成させ、
前記縮小された受信メモ情報と前記追加メモ情報とから構成される返信メモ情報と前記生成された情報とを、前記メモ情報通信手段にて送信させること
を特徴とするメモ情報通信制御方法。
【請求項７】
縮小された受信メモ情報と、この縮小された受信メモ情報の縮小率を示す情報と、追加メモ情報を有する返信メモ情報を受信するためのメモ情報通信手段と、前記メモ情報通信手段により受信された前記受信メモ情報および追加メモ情報を表示するためのメモ情報表示手段とを有するメモ情報通信制御装置におけるメモ情報通信制御方法において、
前記メモ情報表示手段にて表示された前記縮小された受信メモ情報を元の大きさに戻すよう指示するサイズ復元指示に応じて、前記縮小率を示す情報に基づき、前記縮小された受信メモ情報を元の大きさに戻して前記メモ情報表示手段にて表示させることを特徴とするメモ情報通信制御方法。
【請求項８】
メモ情報を入力するためのメモ情報入力手段と、前記メモ情報を送受信するためのメモ情報通信手段と、前記メモ情報通信手段において受信した受信メモ情報を表示するメモ情報表示手段とを有するメモ情報通信制御装置におけるメモ情報通信制御プログラムを記憶する記憶媒体であって、
前記メモ情報表示手段にて表示されている前記受信メモ情報に対する縮小の指示に基づいて、前記受信メモ情報を縮小して前記メモ情報表示手段にて表示させる手順と、
前記縮小された受信メモ情報の前記メモ情報表示手段における表示領域を示す情報、この表示領域の大きさを示す情報、前記受信メモ情報の縮小率を示す情報を生成する手順と、
前記メモ情報入力手段から新たに入力される追加メモ情報の前記メモ情報表示手段における表示領域を示す情報を生成する手順と、
前記縮小された受信メモ情報と、前記追加メモ情報とから構成される返信メモ情報と前記生成された情報とを前記メモ情報通信手段にて送信させる手順と
をコンピュータに実行させるプログラムを記憶したコンピュータ読取り可能な記憶媒体。
【発明の詳細な説明】
【０００１】
【発明の属する技術分野】
本発明は、データ通信によりメモ情報を送受信可能なメモ情報通信制御装置及びその方法、並びにメモ情報通信制御プログラムを記憶した記憶媒体に関する。
【０００２】
【従来の技術】
従来、データ通信可能（電話通信を含む）な無線通信機能を有した携帯型情報処理装置では、電話通信の通話状態においてメモ情報を送受信することが可能な機能を有するものがある。この従来の携帯型情報処理端末では、メモ情報を受信した時にはそのメモ情報を残したまま、新たにメモ情報を書き足して送信することが可能である。
【０００３】
【発明が解決しようとする課題】
しかしながら、従来の携帯型情報処理装置では、受信したメモ情報（以下、受信メモ情報と言う）の表示が表示画面の大部分を占めている場合、この受信メモ情報を残したまま新たにメモ情報を書き足すとなると、その新たにメモ情報を書き足すためのスペースが狭くなってしまい、追加する情報量が必然的に制約されていた。また、従来の携帯型情報処理装置では、編集機能として受信メモ情報の全体を消去する全体消去機能の他に一部分を消去する一部消去機能を備えており、受信メモ情報の一部分消去を行うことで書き足すためのスペースを確保することも可能であるが、この一部分消去処理の作業には手間がかかり、その作業が煩雑になるという課題があった。さらに、受信メモ情報の中で残しておきたい部分が大きな文字や絵である場合には一部分を消去しても新たにメモ情報を書き足すための十分なスペースを確保できない場合があった。
【０００４】
本発明は、上記した事情を考慮してなされたものであり、受信メモ情報に対して新たにメモ情報を追加する際に、その受信メモ情報の全体、或いは、一部分を縮小し、追加するメモ情報（以下、追加メモ情報と言う）の入力領域を広く確保することにより、追加メモ情報の入力操作を簡便に行うことを可能とするメモ情報通信制御装置及びその方法、並びにメモ情報通信制御プログラムを記憶した記憶媒体を提供することを目的とする。
【０００５】
【課題を解決するための手段】
本発明は、縮小指示手段が、メモ情報表示手段にて表示された受信メモ情報に対して、任意の範囲又は全体に対する縮小を指示すると、メモ情報表示制御手段が受信メモ情報の指定された範囲又は全体を縮小してメモ情報表示手段により表示させる。そして、メモ情報通信制御手段が、前記メモ情報表示制御手段により縮小され表示された前記受信メモ情報と前記メモ情報入力手段から新たに入力される追加メモ情報とから構成される返信メモ情報と、縮小された受信メモ情報の前記メモ情報表示手段における表示領域を示す情報と、この表示領域の大きさを示す情報と、前記受信メモ情報の縮小率を示す情報と、前記追加メモ情報の前記メモ情報表示手段における表示領域を示す情報とを、メモ情報通信手段により送信させるよう制御する。
【０００６】
このように、受信した受信メモ情報に対する返信メモ情報を作成する際に、残しておきたい受信メモ情報を任意に縮小することにより追加メモ情報を書き足すスペースを広く確保することができる。
【０００７】
【発明の実施の形態】
以下、図面を参照して本発明の実施の形態について説明する。図１は本実施形態に係わるメモ情報通信制御装置の構成を示すブロック図である。本実施形態におけるメモ情報通信制御装置は、例えばＣＤ−ＲＯＭ、ＤＶＤ、磁気ディスクなどの記憶媒体に記憶されるプログラムを読み込み、このプログラムによって動作が制御されるコンピュータによって実現される。
【０００８】
本実施形態におけるメモ情報通信制御装置は、図１に示すようにＣＰＵ１０１、タブレット１０２、表示装置１０３、ＲＡＭ１０４、無線通信装置１０５、外部記憶装置１０６によって構成されている。ＣＰＵ１０１は、マイクロプロセッサなどからなり、後述のＲＡＭ１０４に記憶されている各制御処理プログラムに示される処理手続きに従い、本装置全体の制御を行うものである。タブレット１０２は、例えば抵抗膜を用いたディジタイザで構成されたものであり、図示せぬ入力ペンのタブレット１０２の表面への押圧に応じて、当該押圧点を座標情報として検出し、ＣＰＵ１０１へ出力する。表示装置１０３は、ＬＣＤなどで構成されるものであり、タブレット１０２から入力される座標情報に対応するイメージ情報の表示、及び、後述する無線通信装置１０５にて受信されるメモ情報を表示する。表示装置１０３の上側にタブレット１０２を積層配置し、またタブレット１０２は透明な材質で構成することで、タブレット１０２を通して表示装置１０３の表示内容を確認することを可能とした構成としている。
【０００９】
ＲＡＭ１０４は、ＣＰＵ１０１にて参照される各種の制御処理プログラムを記憶すると共に、メモ情報バッファ領域及び設定情報バッファ領域を有している。ＲＡＭ１０４に記憶されている入力制御処理プログラムは、タブレット１０２から座標情報として入力されるメモ情報の入力制御を行う際の処理手続きを示したものである。メモ情報表示制御処理プログラムは、タブレット１０２から入力される追加メモ情報、及び、無線通信装置１０５にて受信される受信メモ情報を、表示装置１０３にて表示させる際の処理手続きを示したものである。通信制御処理プログラムは、無線通信装置におけるメモ情報の送受信における通信制御を行う際の処理手続きを示したものである。メモ情報バッファ領域は、表示装置１０３にて表示するメモ情報を一時記憶するものである。
【００１０】
設定情報バッファ領域は、受信した受信メモ情報の全体の縮小を行うか否かを予め設定するためのフラグ情報、及び、受信メモ情報の全体の縮小を行う際の倍率を予め設定するための倍率情報とを記憶するものである。無線通信装置１０５は、メモ情報の送受信を行うものであり、タブレット１０２から入力されるメモ情報を他の無線通信装置への送信、及び、他の無線通信装置から送信されるメモ情報の受信を行う。外部記憶装置１０６は、ＨＤＤ、ＤＶＤ−ＲＡＭ等であり、ＲＡＭ１０４のメモ情報バッファに一時的に記憶されているメモ情報を記憶したり、ＲＡＭ１０４の各種の制御処理プログラムを記憶するものである。外部記憶装置１０６に記憶されている各種の制御処理プログラムは、メモ情報表示制御装置の起動時にＣＰＵ１０１により読み込まれＲＡＭ１０４に記憶される。
【００１１】
次に、第１実施形態の動作について説明する。
図２は、第１実施形態におけるメモ情報通信制御処理の流れを示したフローチャートである。
【００１２】
先ず、ＣＰＵ１０１は、ＲＡＭ１０４の通信制御処理プログラムに従い無線通信装置１０５を制御することにより、他の無線通信装置より送信されるメモ情報を無線通信装置１０５を介して受信しＲＡＭ１０４のメモ情報バッファ領域に一時記憶すると共に、当該受信した受信メモ情報をメモ情報表示制御処理プログラムに従い表示装置１０３に表示させる（ステップＡ１）。受信メモ情報の表示装置１０３における表示例が図３（ａ）に示されている。
【００１３】
タブレット１０２から、表示装置１０３にて表示された受信メモ情報の所定の範囲が指定され、当該所定の範囲の受信メモ情報の縮小が指示されると（ステップＡ２）、ＣＰＵ１０１は、ＲＡＭ１０４のメモ情報バッファに記憶された受信メモ情報のうち指定された所定の範囲の受信メモ情報を縮小すると共に受信メモ情報のそれ以外の部分を消去し、メモ情報バッファ領域に記憶する。また、この縮小した所定範囲の受信メモ情報を表示装置１０３に表示する（ステップＡ３）。縮小の対象とする受信メモ情報の指定は、例えば、表示装置１０３に表示された受信メモ情報の縮小対象範囲を、タブレット１０２上で図示せぬ入力ペンにて指定する。図３（ａ）では、縮小対象範囲として指定された受信メモ情報（駅周辺の地図の書かれた部分）を点線の矩形領域を表示して示している。
【００１４】
また、図３（ｂ）に、指定された矩形領域内の受信メモ情報を縮小した後の画面表示例を示している。受信メモ情報の中の手書き入力された文字部分「場所はここ」は縮小対象範囲外のため削除されている。尚、受信メモ情報の所定の範囲に対する縮小の指示は、例えば図示せぬ入力ペンにて縮小対象範囲を示した矩形領域の角の一つを指定して移動させることにより任意のサイズに縮小できるようにしても良いし、又、その倍率を表示画面上にメニュー表示して選択できるようにしても良い。また、倍率を示す数値情報をタブレット１０２の所定領域に入力することにより指定できるようにしても良い。
【００１５】
受信メモ情報の所定の範囲の縮小が行われた後、表示装置１０３の表示画面上の空きスペースに対して、新たにタブレット１０２からメモ情報が追加して入力されると、ＣＰＵ１０１は、ＲＡＭ１０４の入力制御処理プログラムに従いこの新たに入力された追加メモ情報の入力を受け付け、この受け付けた追加メモ情報と所定の範囲が縮小された受信メモ情報とから構成される返信メモ情報をメモ情報バッファ領域に記憶する。また、ＣＰＵ１０１は、メモ情報表示制御処理プログラムに従い、返信メモ情報を表示装置１０３にて表示させる（ステップＡ４）。図３（ｂ）では、縮小された駅周辺の地図情報（受信メモ情報）の空きスペースに追加して入力された「 どっち口  もう少し詳細教えて」 という追加メモ情報が表示されている。
【００１６】
タブレット１０２から、返信メモ情報の送信指示が行われると、ＣＰＵ１０１は、ＲＡＭ１０４の通信制御処理プログラムに従い、メモ情報バッファ領域に記憶されている返信メモ情報を無線通信装置１０５にて他の無線通信装置へ送信させる（ステップＡ５）。ここで、送信メモ情報の送信の際は、例えば、受信メモ情報と追加メモ情報とをその表示画面上の表示領域で分割し、それぞれ別々に送信する。受信メモ情報については、受信メモ情報と共にその表示領域を示す情報、表示領域の大きさ、縮小率などの情報を送信する。追加メモ情報については、その追加メモ情報と共にその表示領域を示す情報を送信する。また、返信メモ情報の送信指示は、例えば、表示装置１０３の表示画面上に送信を指示するためのアイコンなどを表示しておき、このアイコンの表示位置に対応するタブレット１０２の座標位置を図示せぬ入力ペンにより押圧させることで行わせる。
【００１７】
このようにして、受信した受信メモ情報に対する返信メモ情報を作成する際に、残しておきたい受信メモ情報の部分を指定し任意に縮小することにより追加メモ情報を書き足すスペースを広く確保することができる。縮小された受信メモ情報を含む返信メモ情報を受け取る側にとっては、縮小された受信情報は送信時に一度見た情報であるため、ある程度縮小されていても理解できないという可能性は低く問題ない。また、受信メモ情報を部分的に残した形式で返信メモ情報を作成できるため、より分かり易い内容のメモ情報を作成することが可能である。
【００１８】
次に、第２実施形態の動作について説明する。第１実施形態では、受信メモ情報の所定の範囲を縮小するものであったが、第２実施形態では、受信メモ情報の全体を縮小するようにした。
【００１９】
図４は、第２実施形態におけるメモ情報通信制御処理の流れを示したフローチャートである。
メモ情報が無線通信装置１０５を介して受信されると、ＣＰＵ１０１は、この受信した受信メモ情報をＲＡＭ１０４のメモ情報バッファ領域に記憶させると共に、表示装置１０３にて表示させる（ステップＢ１）。
【００２０】
続いてＣＰＵ１０１は、ＲＡＭ１０４の設定情報バッファ領域を参照して受信された受信メモ情報の全体の縮小の自動実行が設定されているか否かを判断し（ステップＢ２）、受信メモ情報の全体の縮小の自動実行が設定されている場合、引き続き、設定情報バッファ領域を参照し縮小の際の倍率が予め設定されているか否かを判断する（ステップＢ３）。縮小の際の倍率が予め設定されている場合、設定情報バッファ領域に記憶されている倍率情報に基づき受信メモ情報を縮小し、ＲＡＭ１０４のメモ情報バッファ領域の記憶内容を更新すると共に表示装置１０３にて表示させる（ステップＢ４）。ステップＢ３の判断において、縮小の際の倍率が予め設定されていないと判断した場合、ＣＰＵ１０１は、タブレット１０２から縮小の際の倍率の入力がされたか否かを判断し（ステップＢ８）、縮小の際の倍率情報が入力された場合当該入力された倍率情報に基づいて受信メモ情報を縮小しＲＡＭ１０４のメモ情報バッファ領域の記憶内容を更新させると共に表示装置１０３にて表示させる（ステップＢ９）。図５に、受信メモ情報の全体を縮小して表示した例を示している。
【００２１】
また、ステップＢ２の判断において、受信メモ情報の全体の縮小の自動実行が設定されてないと判断された場合、ＣＰＵ１０１は、タブレット１０２から受信メモ情報に対する縮小の指示がされたか否かを判断し（ステップＢ７）、受信メモ情報に対する縮小の指示がされたと判断された場合、ステップＢ３へ処理が移る。なお、ステップＢ８における縮小の際の倍率の入力は、上述した第１実施形態の縮小対象範囲のメモ情報に対する縮小の倍率を指定する際の方法を採用することが可能である。
【００２２】
受信メモ情報の全体の縮小を行った後、表示装置１０３の空きスペースに対して新たに追加メモ情報が入力されると、ＣＰＵ１０１は、この追加メモ情報の入力を受け付け、追加メモ情報と全体を縮小した受信メモ情報とから構成される返信メモ情報をメモ情報バッファ領域に記憶すると共に、この返信メモ情報を表示装置１０３にて表示させる（ステップＢ５）。そして、返信メモ情報に対してタブレット１０２から送信指示が行われると、ＣＰＵ１０１は、メモ情報バッファ領域に記憶されている返信メモ情報を無線通信装置１０５にて他の無線通信装置へ送信させる（ステップＢ６）。
【００２３】
このように、第２実施形態では、受信メモ情報に対する返信メモ情報を作成する際に、受信したメモ情報の全体を任意に縮小することにより追加メモ情報を書き足すスペースを広く確保することができる。また、受信したメモ情報を残した形式での返信メモ情報を作成できるため、より分かり易い内容のメモ情報を作成することが可能である。
【００２４】
次に、第３実施形態の動作について説明する。第３実施形態では、第１実施形態、或いは、第２実施形態により作成された受信メモ情報部分が縮小された返信メモ情報を受信した際に、その返信メモ情報の中の縮小された受信メモ情報を元の大きさに戻し、書き足された追加メモ情報を縮小するようにしたものである。
【００２５】
図６は、第３実施形態におけるメモ情報通信制御処理の流れを示したフローチャートである。
返信メモ情報が無線通信装置１０５を介して受信されると、ＣＰＵ１０１は、受信した返信メモ情報をＲＡＭ１０４のメモ情報バッファ領域に記憶させると共に、表示装置１０３にて表示させる（ステップＣ１）。次いでＣＰＵ１０１は、タブレット１０２から縮小された受信メモ情報の拡大指示が行われたか否かを判断し（ステップＣ２）、縮小された受信メモ情報の拡大指示が行われたと判断すると、返信メモ情報の中の縮小された受信メモ情報を拡大すると共に追加メモ情報を縮小しメモ情報バッファ領域の記憶内容を更新する。また、表示装置１０３にサイズを変更した後の返信メモ情報を表示させる（ステップＣ３）。受信メモ情報は、この受信メモ情報と共に送られる表示領域を示す情報、表示領域の大きさの情報に基づき特定し、特定した受信メモ情報に対して拡大を行う。追加メモ情報もこの追加メモ情報と共に送られる表示領域を示す情報に基づき特定し、特定した追加メモ情報に対して縮小を行う。
【００２６】
図７は、図３（ｂ）の返信メモ情報に対してサイズの変更を行った後の表示例を示したものである。なお、縮小された受信メモ情報を拡大する際の倍率の指定は、上述した第１実施形態或いは第２実施形態と同様にタブレット１０２から任意に指定できるようにしても良いし、縮小以前の元の大きさに戻すよう予め設定しておき縮小されたメモ情報に対する拡大指示が行われた際に自動的に拡大するようにしても良い。縮小以前の元の大きさに戻す場合は、受信メモ情報と共に送られる縮小率の情報に基づき、受信メモ情報を元の大きさに戻す場合の拡大率を求め拡大する。
【００２７】
次に、表示装置１０３で表示されたサイズの変更後の返信メモ情報に対して、空きスペースに新たな追加メモ情報が入力されると、ＣＰＵ１０１は、追加メモ情報の入力を受け付け、この追加メモ情報とサイズの変更後の返信メモ情報とから構成される再返信メモ情報をメモ情報バッファ領域に記憶すると共に、この再返信メモ情報を表示装置１０３にて表示させる（ステップＣ４）。そして、タブレット１０２から再送信メモ情報の送信指示が行われると、ＣＰＵ１０１は、メモ情報バッファ領域に記憶されている再返信メモ情報を無線通信装置１０５にて他の無線通信装置へ送信させる（ステップＣ５）。
【００２８】
このように、縮小された受信メモ情報が含まれた返信メモ情報に対してその受信メモ情報に補足説明を書き込みをしたメモ情報を作成したい場合に、縮小された受信メモ情報を拡大し利用できるようにしたため、縮小された受信メモ情報を初めから書き直すといった手間がなくなるため、メモ情報の作成作業が容易に行える。
【００２９】
また、上述した実施形態において記載した手法は、コンピュータに実行させることのできるプログラムとして、例えば磁気ディスク（フロッピーディスク、ハードディスク等）、光ディスク（ＣＤ−ＲＯＭ、ＤＶＤ等）、半導体メモリなどの記録媒体に書き込んで各種装置に提供することが出来る。また、通信媒体により伝送して各種装置に提供することも可能である。本装置を実現するコンピュータは、記憶媒体に記録されたプログラムを読み込み、または通信媒体を開始してプログラムを受信し、このプログラムによって動作が制御されることにより、上述した処理を実行する。
【００３０】
【発明の効果】
以上詳述したように本発明によれば、受信した受信メモ情報に対してこの受信メモ情報を残した形式での返信用の返信メモ情報を作成する際に、受信した受信メモ情報を縮小し、新たに入力する追加メモ情報の入力領域を広く確保するようにしたため、追加メモ情報の入力の際の入力操作を簡便に行うことが可能となる。
【図面の簡単な説明】
【図１】本実施形態に係わるメモ情報通信制御装置の構成を示すブロック図。
【図２】第１実施形態におけるメモ情報通信制御処理の流れを示したフローチャートを示す図。
【図３】受信したメモ情報の表示例、及び、受信したメモ情報の所定の範囲に対する縮小を行った後の表示例を示す図。
【図４】第２実施形態におけるメモ情報通信制御処理の流れを示したフローチャートを示す図。
【図５】受信したメモ情報の全体を縮小して表示した表示例を示す図。
【図６】第３実施形態におけるメモ情報通信制御処理の流れを示したフローチャートを示す図。
【図７】受信した返信メモ情報に対してサイズ変更を行った場合の表示例を示す図。
【符号の説明】
１０１…ＣＰＵ
１０２…タブレット
１０３…表示装置
１０４…ＲＡＭ
１０５…無線通信装置
１０６…外部記憶装置
【図１】
0004112115.tif 000002
【図２】
0004112115.tif 000003
【図３】
0004112115.tif 000004
【図４】
0004112115.tif 000005
【図５】
0004112115.tif 000006
【図６】
0004112115.tif 000007
【図７】
0004112115.tif 000008